【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
取り込んだ画像データに基づく画像内における被写体を検出する被写体検出手段と、
上記被写体検出手段により検出される被写体ごとに、その実寸に相当するものとしてみることのできる実サイズを検出する被写体実サイズ検出手段と、
上記被写体実サイズ検出手段により検出された実サイズに応じて、上記被写体検出手段により検出される被写体から必要被写体を選別する被写体選別手段と、
上記被写体選別手段により選別された必要被写体に基づき構図を判定する構図判定手段と、
を備える構図判定装置。
【請求項２】
上記被写体検出手段により検出される被写体ごとの被写体距離を検出する被写体距離検出手段と、上記被写体検出手段により検出される被写体ごとの上記画像内における被写体のサイズである画像内サイズを検出する被写体サイズ検出手段とをさらに備え、
上記被写体実サイズ検出手段は、
上記被写体検出手段により検出される被写体ごとに、上記被写体距離と上記画像内サイズを少なくとも利用して上記実サイズを求めることにより、実サイズの検出を行うようにされている、
請求項１に記載の構図判定装置。
【請求項３】
上記被写体選別手段は、
上記被写体距離及び上記画像内サイズを少なくとも利用して求められた上記実サイズについて、撮像により上記画像データを得るための撮像装置において設定されているズーム倍率値を利用して補正したうえで、必要被写体に対応して適正であるとされる値であるか否かの判別を行うようにされている、
請求項２に記載の構図判定装置。
【請求項４】
上記被写体検出手段は、
検出する被写体ごとに、その実寸での大きさの違いに関連した所定の属性の判定を行うようにされているとともに、
上記被写体選別手段は、
上記被写体距離及び上記画像内サイズを少なくとも利用して求められた上記実サイズについて、上記判定された属性に応じた係数を利用して補正したうえで、必要被写体に対応して適正であるとされる値であるか否かの判別を行うようにされている、
請求項２又は請求項３に記載の構図判定装置。
【請求項５】
取り込んだ画像データに基づく画像内における被写体を検出する被写体検出手順と、
上記被写体検出手順により検出される被写体ごとに、その実寸に相当するものとしてみることのできる実サイズを検出する被写体実サイズ検出手順と、
上記被写体実サイズ検出手順により検出された実サイズに応じて、上記被写体検出手順により検出される被写体から必要被写体を選別する被写体選別手順と、
上記被写体選別手順により選別された必要被写体に基づき構図を判定する構図判定手順と、
を実行する構図判定方法。
【請求項６】
取り込んだ画像データに基づく画像内における被写体を検出する被写体検出手順と、
上記被写体検出手順により検出される被写体ごとに、その実寸に相当するものとしてみることのできる実サイズを検出する被写体実サイズ検出手順と、
上記被写体実サイズ検出手順により検出された実サイズに応じて、上記被写体検出手順により検出される被写体から必要被写体を選別する被写体選別手順と、
上記被写体選別手順により選別された必要被写体に基づき構図を判定する構図判定手順と、
を構図判定装置に実行させるプログラム。
【請求項７】
取り込んだ画像データに基づく画像内における被写体を検出する被写体検出手段と、
上記被写体検出手段により検出される被写体ごとの、上記画像内サイズを検出する被写体サイズ検出手段と、
上記被写体サイズ検出手段により検出された上記画像内サイズに応じて、上記被写体検出手段により検出される被写体から必要被写体を選別する被写体選別手段と、
上記被写体選別手段により選別された必要被写体に基づき構図を判定する構図判定手段と、
を備える構図判定装置。
【請求項８】
上記被写体選別手段は、
上記画像内サイズについて、撮像により上記画像データを得るための撮像装置において設定されているズーム倍率値を利用して補正したうえで、必要被写体に対応して適正であるとされる値であるか否かの判別を行うようにされている、
請求項７に記載の構図判定装置。
【請求項９】
上記被写体検出手段は、
検出する被写体ごとに、その実寸での大きさの違いに関連した所定の属性の判定を行う
ようにされているとともに、
上記被写体選別手段は、
上記画像内サイズについて、上記判定された属性に応じた係数を利用して補正したうえで、必要被写体に対応して適正であるとされる値であるか否かの判別を行うようにされている、
請求項７又は請求項８に記載の構図判定装置。
【請求項１０】
取り込んだ画像データに基づく画像内における被写体を検出する被写体検出手順と、
上記被写体検出手順により検出される被写体ごとの、上記画像内サイズを検出する被写体サイズ検出手順と、
上記被写体サイズ検出手順により検出された上記画像内サイズに応じて、上記被写体検出手順により検出される被写体から必要被写体を選別する被写体選別手順と、
上記被写体選別手順により選別された必要被写体に基づき構図を判定する構図判定手順と、
を実行する構図判定方法。
【請求項１１】
取り込んだ画像データに基づく画像内における被写体を検出する被写体検出手順と、
上記被写体検出手順により検出される被写体ごとの、上記画像内サイズを検出する被写
体サイズ検出手順と、
上記被写体サイズ検出手順により検出された上記画像内サイズに応じて、上記被写体検出手順により検出される被写体から必要被写体を選別する被写体選別手順と、
上記被写体選別手順により選別された必要被写体に基づいて構図を判定する構図判定手順と、
構図判定装置に実行させるプログラム。
【請求項１２】
取り込んだ画像データに基づく画像内における被写体を検出する被写体検出手段と、
上記被写体検出手段により検出される被写体ごとの被写体距離を検出する被写体距離検出手段と、
上記被写体距離検出手段により検出された被写体距離に応じて、上記被写体検出手段により検出される被写体から必要被写体を選別する被写体選別手段と、
上記被写体選別手段により選別された必要被写体に基づき構図を判定する構図判定手段と、
を備える構図判定装置。
【請求項１３】
取り込んだ画像データに基づく画像内における被写体を検出する被写体検出手順と、
上記被写体検出手順により検出される被写体ごとの被写体距離を検出する被写体距離検出手順と、
上記被写体距離検出手順により検出された被写体距離に応じて、上記被写体検出手順により検出される被写体から必要被写体を選別する被写体選別手順と、
上記被写体選別手順により選別された必要被写体に基づき構図を判定する構図判定手順と、
を実行する構図判定方法。
【請求項１４】
取り込んだ画像データに基づく画像内における被写体を検出する被写体検出手順と、
上記被写体検出手順により検出される被写体ごとの被写体距離を検出する被写体距離検出手順と、
上記被写体距離検出手順により検出された被写体距離に応じて、上記被写体検出手順により検出される被写体から必要被写体を選別する被写体選別手順と、
上記被写体選別手順により選別された必要被写体に基づき構図を判定する構図判定手順と、
を構図判定装置に実行させるプログラム。
【手続補正２】
【補正対象書類名】明細書
【補正対象項目名】０００６
【補正方法】変更
【補正の内容】
【０００６】
そこで本発明は上記した課題を考慮して、構図判定装置として次のように構成する。
つまり、取り込んだ画像データに基づく画像内における被写体を検出する被写体検出手段と、この被写体検出手段により検出される被写体ごとに、その実寸に相当するものとしてみることのできる実サイズを検出する被写体実サイズ検出手段と、この被写体実サイズ検出手段により検出された実サイズに応じて、上記被写体検出手段により検出される被写体から必要被写体を選別する被写体選別手段と、この被写体選別手段により選別された必要被写体に基づき構図を判定する構図判定手段とを備える。
【手続補正３】
【補正対象書類名】明細書
【補正対象項目名】０００７
【補正方法】変更
【補正の内容】
【０００７】
また、構図判定装置として次のようにも構成する。
つまり、取り込んだ画像データに基づく画像内における被写体を検出する被写体検出手段と、この被写体検出手段により検出される被写体ごとの、画像内サイズを検出する被写体サイズ検出手段と、この被写体サイズ検出手段により検出された画像内サイズに応じて、被写体検出手段により検出される被写体から必要被写体を選別する被写体選別手段と、この被写体選別手段により選別された必要被写体に基づき構図を判定する構図判定手段とを備える。
【手続補正４】
【補正対象書類名】明細書
【補正対象項目名】０００８
【補正方法】変更
【補正の内容】
【０００８】
また、構図判定装置として次のようにも構成する。
つまり、取り込んだ画像データに基づく画像内における被写体を検出する被写体検出手段と、被写体検出手段により検出される被写体ごとの被写体距離を検出する被写体距離検出手段と、この被写体距離検出手段により検出された被写体距離に応じて、被写体検出手段により検出される被写体から必要被写体を選別する被写体選別手段と、この被写体選別手段により選別された必要被写体に基づき構図を判定する構図判定手段とを備える。
【手続補正５】
【補正対象書類名】明細書
【補正対象項目名】０００９
【補正方法】変更
【補正の内容】
【０００９】
上記各構成によっては、画像データから検出した被写体ごとについての、選別パラメータ（実サイズ、画像内サイズ、若しくは被写体距離）を検出したうえで、この選別パラメータに応じて、被写体検出手段により検出される被写体から必要被写体を選別し、この選別した必要被写体のみを対象とする構図判定を行うようにされる。これにより、本願発明によっては、検出される被写体において、必要被写体には該当しないと推定されるものについては除外され、必要被写体に該当すると推定されるものに基づき構図判定処理が行われることになる。